(57)【要約】【課題】電気温水器と電源の距離が異なる場合であっても意匠性が低下することを抑制する電気温水器を提供する。【解決手段】貯湯タンク１２を有する電気温水器１であって、貯湯タンク１２内の水を加熱する加熱部１４と、貯湯タンク１２を囲うように構成されるケーシング２４と、コンセントＤからの電力を供給する電源コード５００と、電気温水器１を被取付部材に固定するための固定部材２８と、を備え、ケーシング２４は、少なくとも後壁３６を有し、後壁３６は、電源コード５００を収納する電源コード収納部７０を有し、電源コード収納部７０は、電源コード５００を外部に取り出す取出口７１を有し、固定部材２８は、電源コード収納部７０および電源コード５００を跨るよう被取付部材および後壁３６に固定される。【選択図】図６
2019056529.tif 000002
【特許請求の範囲】
【請求項１】
貯湯タンクを有する電気温水器であって、
前記貯湯タンク内の水を加熱する加熱部と、
前記貯湯タンクを囲うように構成されるケーシングと、
電源からの電力を供給する電源コードと、
前記電気温水器を被取付部材に固定するための固定部材と、を備え、
前記ケーシングは、少なくとも後壁を有し、
前記後壁は、前記電源コードを収納する電源コード収納部を有し、
前記電源コード収納部は、前記電源コードを外部に取り出す取出口を有し、
前記固定部材は、前記電源コード収納部および前記電源コードを跨るよう被取付部材および前記後壁に固定される
ことを特徴とする電気温水器。
【請求項２】
前記電源コード収納部は、前記取出口を複数有する
ことを特徴とする請求項１に記載の電気温水器。
【請求項３】
前記電源コード収納部は、前記ケーシングの外形に沿って形成されている
ことを特徴とする請求項２に記載の電気温水器。
【発明の詳細な説明】
【技術分野】
【０００１】
本発明は、電気温水器に係り、特に、貯湯した湯を供給可能にする貯湯式の電気温水器に関する。
【背景技術】
【０００２】
従来から、貯湯した湯を供給可能にする貯湯式の電気温水器として、例えば、特許文献１に記載されているように、壁掛式またはカウンタ式の洗面器の下方の立壁面に取付られるものが知られている。
【先行技術文献】
【特許文献】
【０００３】
【特許文献１】特開２００５−１６４０７７号公報
【発明の概要】
【発明が解決しようとする課題】
【０００４】
しかしながら、上述した従来の貯湯式の電気温水器においては、電気温水器と電気温水器に電力を供給する電源までの距離が設置現場によって異なり、電気温水器と電源が比較的近い距離にある場合は、電源コードが垂れ下がってしまい意匠性が悪くなるといった問題があった。さらに、このように電源コードが垂れ下がっている状態で例えば車椅子使用者が水回り機器を使用すると、電源コードが使用者の足に引っかかり、使用者の移動を妨げてしまうことや電源コードが電源から抜けてしまう恐れがある。
【０００５】
本発明はこのような課題に鑑みてなされたものであり、その目的は、電気温水器と電源の距離が異なる場合であっても意匠性が低下することを抑制する電気温水器を提供することにある。
【課題を解決するための手段】
【０００６】
上記課題を解決するために、本発明は、貯湯タンクを有する電気温水器であって、前記貯湯タンク内の水を加熱する加熱部と、前記貯湯タンクを囲うように構成されるケーシングと、電源からの電力を供給する電源コードと、前記電気温水器を被取付部材に固定するための固定部材と、を備え、前記ケーシングは、少なくとも後壁を有し、前記後壁は、前記電源コードを収納する電源コード収納部を有し、前記電源コード収納部は、前記電源コードを外部に取り出す取出口を有し、前記固定部材は、前記電源コード収納部および前記電源コードを跨るよう被取付部材および前記後壁に固定されることを特徴としている。
【０００７】
このように構成された本発明においては、電気温水器と電源との距離が比較的近い場合に余剰の電源コードを電源コード収納部に収納することができるため、電源コードが垂れ下がってしまうことを抑制することができる。電源コードが垂れ下がってしまうことを抑制できるため、意匠性が低下することを抑制することができる。さらに、車椅子使用者が水回り機器を使用する際に垂れ下がった電源コードに使用者の足が引っかかってしまうことでの使用者の移動が妨げられることや電源コードが電源から抜けてしまうことを抑制することができる。
【０００８】
本発明において、好ましくは、前記電源コード収納部は、前記取出口を複数有することを特徴としている。
このように構成された本発明においては、複数の取出口から電源コードを取り出すことができる。より具体的には、電気温水器が設置される現場によって電源の位置は異なるため、電源コードの取出口と電源との位置が反対の位置となる場合や電源コードの取り出し口と電源との高さが異なる場合があり、電気温水器の外に露出する電源コードが多くなってしまい、デザイン性が低下してしまうが、複数の取出口を設けることで、電源のある方向から電源コードを取り出すことができる。そのため、意匠性が低下することを抑制できる。
【０００９】
本発明において、好ましくは、前記電源コード収納部は、前記ケーシングの外形に沿って形成されていることを特徴としている。
このように構成された本発明においては、電源コード収納部がケーシングの外形に沿って形成することで、電源コードの先端と取出口からの距離を変更することができ、電気温水器の外部に露出する電源コードにたるみが発生することを抑制できる。たるみ即ち電源コードの垂れ下がりを抑制できるため、意匠性が低下することを抑制できる。
【発明の効果】
【００１０】
本発明によれば、電気温水器と電源の距離が異なる場合であっても意匠性が低下することを抑制する電気温水器を提供することことができる。
【図面の簡単な説明】
【００１１】
【図１】本発明の実施形態による電気温水器が、水栓に接続された状態の外観を示す図である。
【図２】本発明の実施形態による電気温水器の概略構成図である。
【図３】本発明の実施形態による電気温水器を壁に設置する場合において、電気温水器の本体が固定部材を介して壁に固定される前の状態を示す概略斜視図である。
【図４】本発明の実施形態による電気温水器の本体について斜め後方下側から見た斜視図である。
【図５】本発明の実施形態による電気温水器の本体を斜め後方下側から見た斜視図であり、本体が固定部材を介して壁に固定された状態を示す。
【図６】本発明の実施形態による貯湯式電気温水器の背面図であり、本体が固定部材を介して壁に固定された状態を示す。
【図７】図６のＶＩ−ＶＩ線に沿った断面図であり、本発明の一実施形態による貯湯式電気温水器の壁用固定部と第１固体部材とが係合した状態を部分的に拡大した図である。
【発明を実施するための形態】
【００１２】
以下、添付図面を参照しながら本発明の実施の形態について説明する。説明の理解を容易にするため、各図面において同一の構成要素に対しては可能な限り同一の符合を付して、重複する説明は省略する。なお、以下に示す実施の形態によりこの発明が限定されるものではない。
【００１３】
本発明の実施形態に係る電気温水器について、図１を参照しながら説明する。図１は、本発明の実施形態である電気温水器１が、水栓３００に接続された状態の外観を示す図である。電気温水器１は、水道１００と水栓３００との間に設置される装置である。水道１００から供給される水は、給水配管２００と通って電気温水器１内部に流入する。流入した水は、電気温水器１の電気ヒータによって加熱され温水となり、その後かかる温水が吐水配管４００を通って水栓３００に供給して水栓３００から吐水される。
【００１４】
また、電気温水器１は、水栓３００の下方に設けられ、水栓３００の下方に設けられる商用電源のコンセントＤから電力の供給を受ける電源コード５００を有する。
【００１５】
次に図２を参照して電気温水器１の概略構成を説明する。図２は、本発明の実施形態である電気温水器の概略構成図である。
図１に示すように、本発明の一実施形態による貯湯式電気温水器１は、電気温水器本体２と、この電気温水器本体２を操作可能にする操作部４とを備えている。
つぎに、図１に示すように、電気温水器本体２の内部には、通水路６、湯側電磁弁８、水側電磁弁１０、貯湯タンク１２、電気式ヒータ１４、湯水混合弁１６、吸気栓１８、吸気路２０、及び、制御ユニット２２等がそれぞれ設けられている。
また、図１に示すように、電気温水器本体２は、これらの内部要素６〜２２の外側を覆うように設けられたケーシング２４を備えている。
さらに、本実施形態の貯湯式電気温水器１は、その電気温水器本体２を壁面又は床面に固定可能にする第１固定部材２６及び第２固定部材２８（詳細は後述する）を備えている。これにより、電気温水器１は、設置場所の設置状況に応じて、共通の第１固定部材２６及び第２固定部材２８を兼用して、壁面に固定したり、床面に固定したりすることができるようになっている。
なお、共通の第１固定部材２６及び第２固定部材２８を用いて、電気温水器本体２を壁面に固定する場合と床面に固定する場合のそれぞれの場合における電気温水器１の具体的な固定構造の詳細については、後述する。
【００１６】
さらに、図１に示すように、操作部４は、電気温水器１のいくつかの設定を操作可能にするものである。具体的には、操作部４は、電源（図示せず）から供給される電力を用いて、電気温水器１の各部の作動に関する設定を電気的に操作することができ、給水系機能部である湯水混合弁１６及び吸気栓１８のそれぞれを操作することができるようになっている。
【００１７】
図１に示すように、通水路６は、その上流側が水道等の給水源（図示せず）に接続されており、この給水源（図示せず）から給水された水が通水するようになっており、通水路６の下流端は、適温にされた湯又は水の出口６ａとなっている。
また、図１に示すように、通水路６は、湯側通水路３０及び水側通水路３２をそれぞれ備えている。
湯側通水路３０は、タンク用通水路３０ａ及びタンクバイパス用通水路３０ｂを備えている。タンク用通水路３０ａは、貯湯タンク１２に接続され、タンクバイパス用通水路３０ｂは、貯湯タンク１２をバイパスして湯水混合弁１６に接続されている。
水側通水路３２は、通水路６の上流側で湯側通水路３０と独立に分岐した後、水側通水路３２の下流側で湯側通水路３０の下流側と再び合流するように接続されている。
さらに、湯側通水路３０及び水側通水路３２のそれぞれには、湯側電磁弁８及び水側電磁弁１０がそれぞれ設けられている。これらの電磁弁８，１０は、通水路３０，３２のそれぞれを開閉する開閉弁として機能し、給水系機能部の一部として機能している。
【００１８】
つぎに、図１に示すように、貯湯タンク１２は、タンク用通水路３０ａから給水された水を貯えるタンクである。
また、図１に示すように、電気式ヒータ１４は、貯湯タンク１２内に設けられている。この電気式ヒータ１４は、貯湯タンク１２内の水を電気的に加熱する電気式加熱部として機能するようになっている。
さらに、図１に示すように、湯水混合弁１６は、貯湯タンク１２の下流側のタンク用通水路３０ａの下流側とタンクバイパス用通水路３０ｂの下流側との接続部に設けられている。この湯水混合弁１６は、貯湯タンク１２の下流側の湯側通水路３０を開閉し、貯湯タンク１２から供給された湯とタンクバイパス用通水路３０ｂから供給された水とを混合する混合弁として機能し、給水系機能部の一部として機能している。
【００１９】
つぎに、図１に示すように、吸気栓１８及び吸気路２０は、例えば、電気温水器１のメンテナンス時等において貯湯タンク１２内の水を抜く際に、吸気栓１８を開くことで貯湯タンク１２への吸気を可能にするものであり、貯湯タンク１２を開閉する給水系機能部の一部として機能している。
さらに、図１に示すように、制御ユニット２２は、ケーシング２４内に設けられており、操作部４の操作に応じて電気温水器１の動作を制御する制御部として機能するようになっている。
【００２０】
つぎに、図３〜図１０を参照して、本実施形態の貯湯式電気温水器１について、共通の第１固定部材２６及び第２固定部材２８を用いて、電気温水器本体２を壁面Ｗ又は床面Ｆに固定するための固定構造の詳細について説明する。
まず、図３〜図７を参照して、本実施形態の貯湯式電気温水器１を壁面に固定して設置する場合の固定構造について具体的に説明する。
図３は、本発明の実施形態による貯湯式電気温水器を壁に設置する場合において、電気温水器の本体が固定部材を介して壁に固定される前の状態を示す概略斜視図である。
また、図４は、本発明の実施形態による貯湯式電気温水器の本体について斜め後方下側から見た斜視図である。
さらに、図５は、本発明の実施形態による貯湯式電気温水器の本体を斜め後方下側から見た斜視図であり、本体が固定部材を介して壁に固定された状態を示す。
また、図６は、本発明の実施形態による貯湯式電気温水器の背面図であり、本体が固定部材を介して壁に固定された状態を示す。
さらに、図７は、図６のＶＩ−ＶＩ線に沿った断面図であり、本発明の実施形態による貯湯式電気温水器の壁用固定部と第１固体部材とが係合した状態を部分的に拡大した図である。
【００２１】
まず、図３及び図４に示すように、電気温水器本体２のケーシング２４は、前後方向にそれぞれ設けられた前壁３４及び後壁３６と、上下方向にそれぞれ設けられた底壁３８及び上壁４０と、左右方向の両側に設けられた側壁４２，４４と、を備えている。また、ケーシング２４の前壁３４には操作部４が設けられている。
つぎに、図４に示すように、ケーシング２４の後壁３６は、最も後端側に位置する最後壁面３６ａと、この最後壁面３６ａに対して前側に凹んだ凹部３６ｂと、を備えている。また、電源コード５００を収納するために、後壁３６と側壁４４とで形成される凹溝である電源コード収納部７０が形成されている。また、電源コード収納部７０から電源コード５００を取り出すための取出口７１ａ、７１ｂ、７１ｃ、７１ｄが左右の側壁４４の上下に各１つずつ設けられている。
また、図３〜図５に示すように、ケーシング２４の後壁３６の凹部３６ｂには、左右一対の壁用固定穴４６ａ，４６ｂ（第１壁用固定部）がそれぞれ形成されている。
【００２２】
つぎに、図３に示すように、第１固定部材２６は、金属製の板状部材である。この第１固定部材２６は、電気温水器本体２が壁面Ｗに固定される前の状態では、ビス４８によって第１固定部材２６の一対の取付穴２６ａ，２６ｂを介して壁面Ｗの第１固定位置Ｐ１に固定されるようになっている。
また、図３に示すように、第１固定部材２６は、左右一対の係合突起２６ｃ，２６ｄを備えている。これらの係合突起２６ｃ，２６ｄのそれぞれは、その下方側の基端から上方側の先端まで斜め前方且つ上方に向かって突出している。
そして、図７に示すように、壁面Ｗに固定された状態の第１固定部材２６に対して電気温水器本体２を固定する際には、ケーシング２４の後壁３６の一対の壁用固定穴４６ａ，４６ｂのそれぞれに対して一対の係合突起２６ｃ，２６ｄのそれぞれが挿入可能となっている。
また、図７に示すように、第１固定部材２６の係合突起２６ｃ，２６ｄのそれぞれは、壁用固定穴４６ａ，４６ｂのそれぞれに挿入された状態では、電気温水器本体２の壁用固定穴４６ａ，４６ｂのそれぞれの上側の後壁部３６ｃに係合可能となっている。これにより、電気温水器本体２は、第１固定部材２６を介して壁面Ｗに壁掛けされた状態で固定されるようになっている。
【００２３】
つぎに、図５及び図６に示すように、第２固定部材２８は、電気温水器本体２のケーシング２４を壁面Ｗの第１固定位置Ｐ１よりも下方の第２固定位置Ｐ２で固定可能にする金属製又は樹脂製の板状部材である。
また、図４に示すように、ケーシング２４の最後壁面３６ａの下端部の左右中央には、第２固定部材２８が取り付けられる第２壁用固定部として、第２固定部材取付用の凹部５０及び一対の凸部５２，５２が設けられている。これにより、第２固定部材２８の上方部分は、これらの凹部５０及び凸部５２，５２に嵌合可能となっている。また、凹部５０には、ビス穴５０ａが設けられている。
さらに、図５及び図６に示すように、第２固定部材２８の上方部分には、一対の嵌合穴２８ａ，２８ａ及び単一のビス穴２８ｂが設けられている。ケーシング２４が壁面Ｗに固定される前の状態では、ケーシング２４の第２固定部材取付用の凹部５０に対して第２固定部材２８の上方部分が予め嵌め込まれると共に、ケーシング２４の第２固定部材取付用の一対の凸部５２，５２に対して、第２固定部材２８の一対の嵌合穴２８ａ，２８ａが予め嵌め込まれるようになっている。
そして、図４〜図６に示すように、凹部５０のビス穴５０ａと一致する第２固定部材２８のビス穴２８ｂに対してビス５４が後方側から取り付けられることにより、第２固定部材２８の上方部分が凹部５０に固定されるようになっている。
【００２４】
つぎに、図７に示すように、ケーシング２４の壁用固定穴４６ａ，４６ｂのそれぞれが、壁面Ｗに固定された状態の第１固定部材２６の係合突起２６ｃ，２６ｄのそれぞれに対して係合されると、ケーシング２４の壁用固定穴４６ａ，４６ｂのそれぞれが壁面Ｗの第１固定位置Ｐ１に固定されるようになっている。
その後、図５及び図６に示すように、第２固定部材２８の下方部分の長穴２８ｃ対してビス４８が前側から壁面Ｗに向かって取り付けられることにより、第２固定部材２８が壁面Ｗの第２固定位置Ｐ２に固定されるようになっている。そして、ケーシング２４が壁面Ｗの第１固定位置Ｐ１及び第２固定位置Ｐ２のそれぞれにおいて完全に固定された状態となる。
【００２５】
特に、第２壁用固定部である第２固定部材取付用の凹部５０及び一対の凸部５２，５２、並びに、第２固定部材２８は、壁面Ｗに固定された状態の第１固定部材２６とケーシング２４の第１壁用固定穴４６ａ，４６ｂとが係合した状態で両者の係合解除を規制するものとして機能するようになっている。
さらに、図５に示すように、ケーシング２４の最後壁面３６ａの左右両側についても、上述した第２固定部材取付用の凹部５０及び一対の凸部５２，５２と同様な第２壁用固定部Ａが設けられており、第２壁用固定部Ａに対して第２固定部材２８が取り付け可能となっている。
これにより、第２壁用固定部Ａについても、第２固定部材２８と共に、壁面Ｗに固定された状態の第１固定部材２６とケーシング２４の第１壁用固定穴４６ａ，４６ｂとの係合解除を規制するものとして機能するようになっている。
【００２６】
ここで、図４〜図７に示すように、第１固定部材２６がケーシング２４の凹部３６ｂに嵌合し、第２固定部材２８がケーシング２４の凹部５０の及び凸部５２に嵌合した状態では、第１固定部材２６及び第２固定部材２８のそれぞれの壁面Ｗ側の面Ａ１，Ａ２が、ケーシング２４の最後壁面３６ａに対して互いに面一になるように設定されている。
これにより、ケーシング２４の最後壁面３６ａと壁面Ｗとの間をほとんど隙間なく、ケーシング２４を壁面Ｗに安定して固定することができるようになっている。
【００２７】
つぎに、図６に示すように、ケーシング２４の壁用固定穴４６ａ，４６ｂは、貯湯タンク１２の満水時における電気温水器１の重心Ｇよりも上方に位置している。
これにより、ケーシング２４の壁用固定穴４６ａ，４６ｂが貯湯タンク２４の満水時における電気温水器１の重心Ｇと同一高さ位置及びそれよりも下方に位置している場合に比べて、ケーシング２４を壁面Ｗから離間する方向に傾かせる力を抑制することができるため、電気温水器１を壁面Ｗに安定して設置することができるようになっている。
また、ケーシング２４の上方部分が前側に傾くことにより壁用固定穴４６ａ，４６ｂや第１固定部材２６に対して過度な力が作用し、壁用固定穴４６ａ，４６ｂや第１固定部材２６が破損してしまうことを抑制することができるようになっている。
【００２８】
さらに、図６に示すように、電源コード収納部７０は、ケーシング２４の外形に沿って形成されている。図６に示す例において、電源コード５００は、電源コード収納部７０の取出口７１ａから取出口７１ｂ方向に向かい、さらに、取出口７１ｂから取出口７１ｃ方向に向かい、取出口７１ｃから取出される。ここで、第２固定部材２８は、電源コード５００および電源コード収納部７０と交差するようになっており、電源コード５００および電源コード収納部７０を跨るように壁面Ｗおよび最後壁面３６ａに固定される。
【００２９】
図６においては、電源コード５００を取出口７１ｃから取出す例を説明したが、電源コード５００を取出口７１ｃから取出口７１ｄ方向にさらに収納し、取出口７１ｄから取出してもよい。また、電源コード５００を取出口７１aから取出口７１ｄ方向に収納し、取出口７１ｄから電源コード５００を取出してもよい。さらに、電源コード５００を取出口７１aから取出口７１ｄ方向に収納し、取出口７１ｄから取出口７１ｃ方向に収納し、取出口７１ｃから取出口７１ｂ方向に収納し、取出口７１ｂから電源コード５００を取出してもよい。
【００３０】
つぎに、図１〜図７を参照して、本発明の実施形態による電気温水器１の作用について説明する。
上述した本発明の実施形態による電気温水器１によれば、電気温水器１とコンセントＤとの距離が比較的近い場合に余剰の電源コード５００を電源コード収納部７０に収納することができるため、電源コード５００が垂れ下がってしまうことを抑制することができる。電源コード５００が垂れ下がってしまうことを抑制できるため、意匠性が低下することを抑制することができる。さらに、車椅子使用者が水回り機器を使用する際に垂れ下がった電源コード５００に使用者の足が引っかかってしまうことでの使用者の移動が妨げられることや電源コード５００がコンセントＤから抜けてしまうことを抑制することができる。
【００３１】
また、本実施形態の電気温水器１によれば、複数の取出口７１ａ、７１ｂ、７１ｃ、７１ｄから電源コード５００を取り出すことができる。より具体的には、電気温水器１が設置される現場によってコンセントＤの位置は異なるため、例えば、電源コード５００の取出口７１ｂとコンセントＤとの位置が反対の位置となる場合があり、電気温水器１の外に露出する電源コード５００が多くなってしまい、意匠性が低下してしまうが、複数の取出口７１ａ、７１ｂ、７１ｃ、７１ｄを設けることで、コンセントＤのある方向から電源コード５００を取り出すことができる。そのため、意匠性が低下することを抑制できる。
【００３２】
また、本実施形態の電気温水器１によれば、電源コード収納部７０がケーシング２４の外形に沿って形成することで、電源コード５００の先端と取出口７１ａ、７１ｂ、７１ｃ、７１ｄからの距離を変更することができ、電気温水器１の外部に露出する電源コード５００にたるみが発生することを抑制できる。たるみ即ち電源コード５００の垂れ下がりを抑制できるため、意匠性が低下することを抑制できる。
【００３３】
なお、上述した本発明の一実施形態による貯湯式電気温水器１及び第２実施形態による貯湯式電気温水器１００においては、貯湯タンク１２の上流側（一次側）の湯側電磁弁８を操作することにより止水可能な、いわゆる、「元止め式」を採用した形態について説明したが、他の形態についても採用可能である。
すなわち、他の形態として、貯湯タンク１２の下流側（二次側）において、開閉弁等を操作することにより止水可能な、いわゆる、「先止め式」を採用した形態であってもよい。このような「先止め式」を採用した場合には、例えば、貯湯タンク１２に逃し弁を設けると共に、操作部４に逃し弁を手動で操作する逃し弁レバーを設けてもよい。これにより、逃し弁の弁体の固着などによる、逃し弁の動作不良時には、逃し弁レバーを操作することにより、逃し弁の弁体を開弁させ、逃し弁の動作不良を解消できるようにしてもよい。
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００３４】
１    電気温水器
２    電気温水器本体
４    操作部
６    通水路
６ａ  出口
８    湯側電磁弁（給水系機能部、開閉弁）
１０    水側電磁弁（給水系機能部、開閉弁）
１２    貯湯タンク（タンク）
１４    電気式ヒータ（加熱部）
１６    湯水混合弁（給水系機能部、混合弁）
１８    吸気栓（給水系機能部）
２０    吸気路（給水系機能部）
２２    制御ユニット（制御部）
２４    ケーシング
２６    第１固定部材
２６ａ  取付穴
２６ｂ  取付穴
２６ｃ  係合突起
２６ｄ  係合突起
２８    第２固定部材（固定部材）
２８ａ  嵌合穴
２８ｂ  ビス穴
２８ｃ  長穴
３０    湯側通水路
３０ａ  タンク用通水路
３０ｂ  タンクバイパス用通水路
３２    水側通水路
３４    ケーシングの前壁
３６    ケーシングの後壁
３６ａ  最後壁面
３６ｂ  凹部（第１壁用固定部の第１凹部）
３６ｃ  後壁部
３８    ケーシングの底壁
４０    ケーシングの上壁
４２    ケーシングの側壁
４４    ケーシングの側壁
４６ａ  壁用固定穴（第１壁用固定部、第１凹部）
４６ｂ  壁用固定穴（第１壁用固定部、第１凹部）
４８    ビス
５０    第２固定部材取付用の凹部（第２壁用固定部、第２凹部）
５０ａ  ビス穴
５２    第２固定部材取付用の凸部（第２壁用固定部）
５４    ビス
５８    脚部
６０    脚部
６０ａ  第２固定部材取付用の凹部（第２床用固定部）
６０ｂ  第２固定部材取付用の凸部（第２床用固定部）
６０ｃ  ビス穴
６２    脚部
６２ａ  第２固定部材取付用の凹部（第２床用固定部）
６２ｂ  第２固定部材取付用の凸部（第２床用固定部）
６２ｃ  ビス穴
６４ａ  床固定用の係合部（第１床用固定部）
６４ｂ  床固定用の係合部（第１床用固定部）
７０    電源コード収納部
７１ａ  取出口
７１ｂ  取出口
７１ｃ  取出口
７１ｄ  取出口
１００  水道
２００  給水配管
３００  水栓
４００  吐水配管
５００  電源コード
Ａ    第２壁用固定部
Ａ１  第１固定部材の壁側の面
Ａ２  第２固定部材の壁側の面
Ｄ    コンセント
Ｐ１  第１固定位置
Ｐ２  第２固定位置
Ｑ１  第１固定位置
Ｑ２  第２固定位置
Ｗ    壁面
Ｆ    床面
【図１】
2019056529.tif 000003
【図２】
2019056529.tif 000004
【図３】
2019056529.tif 000005
【図４】
2019056529.tif 000006
【図５】
2019056529.tif 000007
【図６】
2019056529.tif 000008
【図７】
2019056529.tif 000009